(57)【特許請求の範囲】
【請求項１】
燃焼によって燃焼ガスを発生するバーナ部と、該バーナ部で発生した燃焼ガスを流通させ、表面から輻射及び対流により暖房用の熱を発する主熱交換器と、該主熱交換器をバイパスさせて燃焼ガスを流通させるバイパス路と、内方に温水熱交換器を収納し燃焼ガスと熱交換させる温水熱交換室とを備え、前記主熱交換器及びバイパス路と温水熱交換室との間には、排気路と連通し通路切替用のダンパーを有し、主熱交換器とは第１流通パイプを介して、又バイパス路とは第２流通パイプを介してそれぞれ連通したダンパー室を備え、前記温水熱交換室の入口側と出口側の両方の連通を同時に閉塞する第１ダンパーと第２ダンパーとを備え、この第１、第２ダンパーは１本の駆動ロッドに取り付けられ、前記第１ダンパーと第２ダンパーのどちらか一方を他より速く押圧閉塞開始させると共に、この速い方には押圧状態を吸収するバネ手段を備え、遅い方の密閉を待つようにした事を特徴とする温水熱交換器内蔵ストーブ。
【発明の詳細な説明】
【０００１】
【発明の属する技術分野】
この発明は、輻射及び温風によるストーブ単独運転と、簡易床暖房等の温水暖房との併用運転とが行える温水熱交換器内蔵ストーブに関するものである。
【０００２】
【従来の技術】
従来よりこの種のものに於いては、例えば特許第２９５２９５２号公報に開示されているように、燃焼筒に連通しその表面から輻射及び温風により暖房用の熱を発する主熱交換器と、燃焼筒の背面側で且つ赤熱体の途中の背後に設けた分岐口に連通した温水熱交換器を備え、燃焼ガスの流れを前記主熱交換器又は温水熱交換器に切り替える切替ダンパーを主熱交換器及び温水熱交換器出口合流点に備え、ストーブ単独運転時に温水熱交換器出口を前記ダンパーで閉塞して暖房運転をすると言うものであった。
【０００３】
【発明が解決しようとする課題】
ところでこの従来のものでは、切替ダンパーは温水熱交換室の出口側しか存在せず入口側は開放された状態であるので、ストーブ単独運転時でも、温水熱交換器が高温に加熱されしまい、内方の温水の沸騰音が発生したり、酷い時には一旦消化して冷却を待ってからでないと併用運転が開始出来ないと言う問題点を有するものであり、又入口側と出口側にそれぞれダンパーを備え、これを1本の駆動ロッドで同時に閉塞しようとした場合には、組み付けのバラツキ等でどうしても一方のダンパーに隙間が生じ、両方ともに完全に密接させることが出来ないと言う問題点を有するものである。
【０００４】
【課題を解決するための手段】
この発明はこの点に着目し上記課題を解決するため、特にその構成を、燃焼によって燃焼ガスを発生するバーナ部と、該バーナ部で発生した燃焼ガスを流通させ、表面から輻射及び対流により暖房用の熱を発する主熱交換器と、該主熱交換器をバイパスさせて燃焼ガスを流通させるバイパス路と、内方に温水熱交換器を収納し燃焼ガスと熱交換させる温水熱交換室とを備え、前記主熱交換器及びバイパス路と温水熱交換室との間には、排気路と連通し通路切替用のダンパーを有し、主熱交換器とは第１流通パイプを介して、又バイパス路とは第２流通パイプを介してそれぞれ連通したダンパー室を備え、前記温水熱交換室の入口側と出口側の両方の連通を同時に閉塞する第１ダンパーと第２ダンパーとを備え、この第１、第２ダンパーは１本の駆動ロッドに取り付けられ、前記第１ダンパーと第２ダンパーのどちらか一方を他より速く押圧閉塞開始させると共に、この速い方には押圧状態を吸収するバネ手段を備え、遅い方の密閉を待つようにしたものである。
【０００５】
【発明の実施の形態】
ストーブ単独運転では、ダンパー室２０の第２ダンパー３９が温水熱交換室２４の出口側３２を閉塞すると共に、第１ダンパー３０が温水熱交換室２４の入口側である第１開口２９を閉塞するので、燃焼ガスは温水熱交換器２３に連通することなく主熱交換器１３に流入し、この主熱交換器１３の表面からの輻射熱及び、対流ファン（図示せず）からの送風との熱交換で温風として、室内の暖房が行われるものである。
【０００６】
この時、駆動ロッド４３の駆動で先ず第２ダンパー３９による出口側３２の閉塞が開始されてから、やや遅れて第１ダンパー３０による第１開口２９の閉塞が開始されるものであり、更に駆動ロッド４３が駆動して第２ダンパー３９は押し込まれるが、この圧力状態をバネ手段４１が吸収し、この間に第１ダンパー３０が第１開口２９を密閉することが出来るので、バネ手段４１によって第１、第２ダンパー３０、３９に余裕が出来、出口側３２及び第１開口２９を確実に密閉することが出来、良好な遮熱が行え安心して使用出来るものである。
【０００７】
【実施例】
次にこの発明に係る温水熱交換器内蔵ストーブを図面に示された一実施例に基づいて説明する。
１はポット式等のバーナ部で、燃焼ファン２からの燃焼空気の供給及び、燃料供給手段（図示せず）による燃料の供給を受けて、燃焼して燃焼ガスを発生するものである。
【０００８】
３はバーナ部１上に位置し、該バーナ部１と連通した耐熱透明体から成る燃焼筒で、上方には筒状の赤熱体４が垂下して備えられ燃焼ガスで加熱されて赤熱する。
５は燃焼筒３の後方を反射板６で囲んで形成した輻射室で、赤熱体４の赤熱状態を室内に反射させてストーブとして輻射暖房を行うものである。
【０００９】
７は燃焼筒３と連通口８を介して連通した分岐室で、一側のみに開口９を有する案内板１０で連通口８を覆うと共に、上面の左右両端にはそれぞれ長穴の第１、第２流出口１１、１２を備えている。
【００１０】
１３は前記分岐室７上に備えられた主熱交換器で、第１流出口１１と連通する第１集合部１４と、第２流出口１２と連通した通気室１５を仕切板１６で仕切って形成した第２集合部１７と、前記第１集合部１４と第２集合部１７間を結ぶ複数本の熱交パイプ１８とから構成され、燃焼ガスを流通させて周囲の空気を熱交換で加熱し、これを対流ファンで温風として放出させることで、ストーブとして室内の暖房を行うものである。
【００１１】
又第２流出口１２と通気室１５は、燃焼ガスを主熱交換器１３を流通させずにバイパスするバイパス路１９を形成するものである。
【００１２】
２０は第２集合部１７と第１流通パイプ２１を介して連通すると共に、通気室１５と第２流通パイプ２２を介して連通したダンパー室で、反対側下方には燃焼ガスの流通で中を通る温水を加熱する温水熱交換器２３を収納した温水熱交換室２４が連通し、下方には屋外に突出する排気路２５が連通している。
【００１３】
前記ダンパー室２０内は４室に区画され、第２流通パイプ２２と連通した第１室２６には、下方で温水熱交換室２４の入口２７を有した第２室２８とを結ぶ第１開口２９を開閉する第１ダンパー３０が備えられ、又第１流通パイプ２１と連通した第３室３１の下方で、温水熱交換室２４の出口３２及び排気路２５を有した第４室３３には、前記第３室３１と第４室３３とを結ぶ第２開口３４と温水熱交換室２４の出口３２とを交互に開閉するダンパー手段３５が備えられている。
【００１４】
このダンパー手段３５は、く字状の基板３６の両側に、中央部のみを固着し外周を浮かした状態で閉塞板３７、３８を取り付け、一方を温水熱交換室２４の出口側３２を閉塞する第２ダンパー３９とし、他方を第２開口３４を閉塞する第３ダンパー４０として構成しており、更に第２ダンパー３９の基板３６と閉塞板３７との間には、該閉塞板３７が出口側３２に押し付けられることで、反発力を発生するバネ手段４１が備えられている。
【００１５】
４２は第１ダンパー３０及びダンパー手段３５を同時に駆動させるアクチエーター等から成る駆動手段で、第１ダンパー３０及びダンパー手段３５を９０°角度をずらし且つ第２ダンパー３９が数度広がった状態で固定した１本の駆動ロッド４３と、この駆動ロッド４３と駆動手段４２とはクランク機構４４を介して連結されている。
【００１６】
４５は温水補給用のシスターンタンク４６を介して温水熱交換器２３と連通した循環ポンプで、温水熱交換器２３で高温に加熱された温水を床暖房用の放熱器（図示せず）に循環させ、放熱させた後の低温水を再び温水熱交換器２３に循環させて再加熱して、順次循環させ温水暖房をストーブによる暖房と併用して行うものである。
【００１７】
次にこの発明一実施例の作動について説明する。
先ずストーブ単独運転では、図３、４に示す如くストーブ単独運転では、ダンパー室２０の第２ダンパー３９が温水熱交換室２４の出口側３２を閉塞すると共に、第１ダンパー３０が温水熱交換室２４の入口側である第１開口２９を閉塞するので、燃焼ガスは温水熱交換器２３に連通することなく主熱交換器１３に流入し、この主熱交換器１３の表面からの輻射熱及び、対流ファンからの送風との熱交換で温風として、室内の暖房が行われるものである。
【００１８】
この時、駆動ロッド４３の駆動で先ず第２ダンパー３９による出口側３２の閉塞が開始されてから、やや遅れて第１ダンパー３０による第１開口２９の閉塞が開始されるもので有り、更に駆動ロッド４３が駆動して第２ダンパー３９は押し込まれるが、この圧力状態をバネ手段４１が吸収し、この間に第１ダンパー３０が第１開口２９を密閉することが出来るので、バネ手段４１によって第１、第２ダンパー３０、３９に余裕が出来、出口側３２及び第１開口２９を確実に密閉することが出来るものである。
【００１９】
そしてこの状態でバーナ部１を燃焼開始させれば、発生した燃焼ガスは燃焼筒３内を上昇して赤熱体４を赤熱状態にし、この赤熱状態を反射板６で反射させて輻射暖房及び対流ファンを用いて温風暖房も行うものである。
【００２０】
その後、分岐室７に流入した燃焼ガスは、バイパス路１９が第１ダンパー３０で閉塞されているので、第１流出口１１から主熱交換器１３内を流通して、外方の空気と熱交換し対流ファンを用いて暖かい空気の対流で室内の暖房を行い、ダンパー室２０より排気路２５を介して排出される。
【００２１】
次にストーブと床暖房等の温水暖房の併用運転では、図５、６に示す如く、第１ダンパー３０が第１開口２９を開成することで、温水熱交換室２４の入口２７を開口し第２流通パイプ２２を連通すると共に、第２ダンパー３９で温水熱交換室２４の出口側３２を開口し排気口２５を連通する。
【００２２】
この時温水熱交換器２３は、温水熱交換室２４の入口２７から出口側３２の間を流通する燃焼ガスと熱交換させれば、内方の温水が温度上昇され高温水となって循環ポンプ３９の駆動で床暖房用の放熱器等に循環され、ストーブによる輻射暖房、温風暖房と共に床暖房による暖房も合わせて行われるものである。
【００２３】
尚、この実施例では温水暖房併用運転時には主熱交換器１３を排気経路から遮断して
いるが、排気経路の途中であれば温水熱交換器２３を並列に接続しさえすれば、主熱交換器１３は排気経路から遮断せずともよいものである。
【００２４】
【発明の効果】
以上のようにこの発明によれば、ストーブ単独運転中に温水熱交換室の入口側と出口側を完全に遮断することで温水熱交換器が燃焼ガスや熱気にさらされたり接することがなく、温水の沸騰音の発生や、温水暖房運転開始時に温水が瞬時に沸騰して温水暖房が開始されず、一旦消火して冷却しなければならないようなことがなく、極めて使用勝手が良いと共に、安心して使用出来るものである。
更に１本の駆動ロッドで第１、第２ダンパーを駆動制御するようにしても、第１、第２ダンパーによる閉塞部分は、確実に密閉され燃焼ガスの対流を防止して良好な遮熱が行えるものである。
【図面の簡単な説明】
【図１】  この発明の一実施例を付したストーブの概略断面図。
【図２】  同要部の水平断面図。
【図３】  同ダンパー室の第１室と第２室でストーブ単独運転状態を示す説明図。
【図４】  同ダンパー室の第３室と第４室でストーブ単独運転状態を示す説明図。
【図５】  同ダンパー室の第１室と第２室で併用運転状態を示す説明図。
【図６】  同ダンパー室の第３室と第４室で併用運転状態を示す説明図。
【図７】  同ダンパー室の分解斜視図
【図８】  同ダンパーの正面図。
【図９】  同ダンパー手段の断面図。
【図１０】  同バネ手段の正面図。
【符号の説明】
１  バーナ部
１３  主熱交換器
１９  バイパス路
２０  ダンパー室
２３  温水熱交換器
２４  温水熱交換室
２７  入口
２９  第１開口
３０  第１ダンパー
３２  出口側
３９  第２ダンパー
４１  バネ手段
４３  駆動ロッド
【図１】
0004021632.tif 000002
【図２】
0004021632.tif 000003
【図３】
0004021632.tif 000004
【図４】
0004021632.tif 000005
【図５】
0004021632.tif 000006
【図６】
0004021632.tif 000007
【図７】
0004021632.tif 000008
【図８】
0004021632.tif 000009
【図９】
0004021632.tif 000010
【図１０】
0004021632.tif 000011